(57)【特許請求の範囲】
【請求項１】
顔を含む範囲を撮影する携帯型端末と、前記携帯型端末とデータ送受信可能に接続され、前記撮影により得られた画像の登録を行う受付サーバを用いて、顔画像付き媒体の申込および受付を行う方法であって、
前記携帯型端末が、申込書に掲載されたコードを読み取って申込者の個人情報を取得する段階と、
前記携帯型端末が、申込者の本人確認を示す情報を取得する段階と、
前記携帯型端末が、申込者の顔を含む範囲を撮影して顔を含む画像である顔画像を取得する段階と、
前記受付サーバが、前記携帯型端末から送信された顔画像に対して適合性の判定を行う段階と、
前記判定の結果、適合性を満たした顔画像に対して、申込者による確認の情報が得られた後に、前記携帯型端末が、前記顔画像に対してトリミング加工を行って加工顔画像を作成する段階と、
前記受付サーバが、前記個人情報と対応付けて前記加工顔画像を登録する段階と、
を有することを特徴とする顔画像付き媒体の申込受付方法。
【請求項２】
前記申込書は、前記コードに係る前記申込者の個人情報が記載された個人情報欄と、写真未添付の顔写真添付欄とを備える請求項１に記載の顔画像付き媒体の申込受付方法。
【請求項３】
前記携帯型端末が、前記受付サーバによる適合性の判定の結果、適合性がＮＧであると判定された場合に、申込者の顔を含む範囲を撮影して顔を含む画像である顔画像を再度取得する段階を備える請求項１又は請求項２に記載の顔画像付き媒体の申込受付方法。
【請求項４】
前記受付サーバは、前記携帯型端末から送信された加工顔画像の外枠に対してぼかし処理を行うことを特徴とする請求項１から請求項３までのいずれかに記載の顔画像付き媒体の申込受付方法。
【請求項５】
顔画像付き媒体に点字を使用するか否かの情報を取得する段階と、
前記顔画像を取得する段階の前段階として、顔を撮影することの同意を示す情報を取得する段階と、
を更に有することを特徴とする請求項１から請求項４までのいずれかに記載の顔画像付き媒体の申込受付方法。
【請求項６】
顔を含む範囲を撮影する携帯型端末と、前記携帯型端末とデータ送受信可能に接続され、前記撮影により得られた画像の登録を行う受付サーバを有する顔画像付き媒体の申込および受付を行うシステムであって、
前記携帯型端末が、
申込書に掲載されたコードを読み取って申込者の個人情報を取得する手段と、
申込者の本人確認を示す情報を取得する手段と、
申込者の顔を含む範囲を撮影して顔を含む画像である顔画像を取得する手段と、
前記受付サーバによる適合性の判定の結果、適合性を満たした顔画像に対して、申込者による確認の情報が得られた後に、前記顔画像に対してトリミング加工を行って加工顔画像を作成する手段と、
を有し、
前記受付サーバが、
前記携帯型端末から送信された顔画像に対して適合性の判定を行う手段と、
前記受付サーバが、前記個人情報と対応付けて前記加工顔画像を登録する手段と、
を有することを特徴とする顔画像付き媒体の申込受付システム。
【請求項７】
前記申込書は、前記コードに係る前記申込者の個人情報が記載された個人情報欄と、写真未添付の顔写真添付欄とを備える請求項６に記載の顔画像付き媒体の申込受付システム。
【請求項８】
前記携帯型端末が、前記受付サーバによる適合性の判定の結果、適合性がＮＧであると判定された場合に、申込者の顔を含む範囲を撮影して顔を含む画像である顔画像を再度取得する手段を備える請求項６又は請求項７に記載の顔画像付き媒体の申込受付システム。
【請求項９】
前記受付サーバが、前記携帯型端末から送信された加工顔画像の外枠に対してぼかし処理を行う手段を有することを特徴とする請求項６から請求項８までのいずれかに記載の顔画像付き媒体の申込受付システム。
【請求項１０】
前記携帯型端末が、
顔画像付き媒体に点字を使用するか否かの情報を取得する手段と、
前記顔画像を取得する段階の前段階として、顔を撮影することの同意を示す情報を取得する手段と、
を更に有することを特徴とする請求項６から請求項９までのいずれかに記載の顔画像付き媒体の申込受付システム。
【請求項１１】
顔画像付き媒体の申込を行うため、撮影により得られた画像の登録を行う受付サーバと、データ送受信可能に接続された携帯型端末であって、
申込書に掲載されたコードを読み取って申込者の個人情報を取得する手段と、
申込者の本人確認を示す情報を取得する手段と、
申込者の顔を含む範囲を撮影して顔を含む画像である顔画像を取得する手段と、
前記受付サーバによる適合性の判定の結果、適合性を満たした顔画像に対して、申込者による確認の情報が得られた後に、前記顔画像に対してトリミング加工を行って加工顔画像を作成する手段と、
を有することを特徴とする携帯型端末。
【請求項１２】
前記申込書は、前記コードに係る前記申込者の個人情報が記載された個人情報欄と、写真未添付の顔写真添付欄とを備える請求項１１に記載の携帯型端末。
【請求項１３】
前記受付サーバによる適合性の判定の結果、適合性がＮＧであると判定された場合に、申込者の顔を含む範囲を撮影して顔を含む画像である顔画像を再度取得する手段を備える請求項１１又は請求項１２に記載の携帯型端末。
【請求項１４】
前記携帯型端末が、
顔画像付き媒体に点字を使用するか否かの情報を取得する手段と、
前記顔画像を取得する段階の前段階として、顔を撮影することの同意を示す情報を取得する手段と、
を更に有することを特徴とする請求項１１から請求項１３までのいずれかに記載の携帯型端末。
【請求項１５】
顔画像付き媒体の申込を行うため、撮影により得られた画像の登録を行う受付サーバと、データ送受信可能に接続された携帯型端末として、コンピュータを機能させるプログラムであって、
前記コンピュータに、
申込書に掲載されたコードを読み取って申込者の個人情報を取得させる手段と、
申込者の本人確認を示す情報を取得させる手段と、
申込者の顔を含む範囲を撮影して顔を含む画像である顔画像を取得させる手段と、
前記受付サーバによる適合性の判定の結果、適合性を満たした顔画像に対して、申込者による確認の情報が得られた後に、前記顔画像に対してトリミング加工を行って加工顔画像を作成させる手段と、
を備えるプログラム。
【請求項１６】
前記申込書は、前記コードに係る前記申込者の個人情報が記載された個人情報欄と、写真未添付の顔写真添付欄とを備える請求項１５に記載のプログラム。
【請求項１７】
前記受付サーバによる適合性の判定の結果、適合性がＮＧであると判定された場合に、申込者の顔を含む範囲を撮影して顔を含む画像である顔画像を再度取得させる手段を備える請求項１５又は請求項１６に記載のプログラム。
【請求項１８】
顔画像付き媒体に点字を使用するか否かの情報を取得させる手段と、
前記顔画像を取得する段階の前段階として、顔を撮影することの同意を示す情報を取得させる手段と、
を更に有することを特徴とする請求項１５から請求項１７までのいずれかに記載のプログラム。
【発明の詳細な説明】
【技術分野】
【０００１】
本発明は、顔画像付きの媒体を発行する際に効率的に申込および受付作業を行うための技術に関する。
【背景技術】
【０００２】
従来、運転免許証、パスポート、社員証等、様々な形態の顔画像付きの媒体が発行されている。このような顔画像付きの媒体は、表面もしくは他の面に顔画像が印刷され、人物の身分証明を行うことができるようになっている。このような顔画像付きの媒体として、表面に顔画像が印刷されたＩＤカードを発行する技術が既に開発されている（特許文献１参照）。
【先行技術文献】
【特許文献】
【０００３】
【特許文献１】特開２００７−３３４６２９号公報
【発明の概要】
【発明が解決しようとする課題】
【０００４】
しかしながら、上記特許文献１に記載の技術では、画像の登録時と閲覧時の２回に分けて、別々に利用者が携帯電話でサーバにアクセスしなければならず、個人情報も別途送信しなければならない、また、個人情報を扱う場合の本人への確認も行わなければならない等、サーバ側での負担が大きいという問題がある。
【０００５】
そこで、本発明は、サーバ側の負担を軽減し、携帯電話等の携帯型端末で効率的に処理を行うことが可能な顔画像付き媒体の申込受付方法およびシステムを提供することを課題とする。
【課題を解決するための手段】
【０００６】
上記課題を解決するため、本発明第１の態様では、顔を含む範囲を撮影する携帯型端末と、前記携帯型端末とデータ送受信可能に接続され、前記撮影により得られた画像の登録を行う受付サーバを用いて、顔画像付き媒体の申込および受付を行う方法であって、
前記携帯型端末が、申込書に掲載されたコードを読み取って申込者の個人情報を取得する段階と（Ｓ３）、
前記携帯型端末が、申込者の本人確認を示す情報を取得する段階と（Ｓ４）、
前記携帯型端末が、申込者の顔を含む範囲を撮影して顔を含む画像である顔画像を取得する段階と（Ｓ８）、
前記受付サーバが、前記携帯型端末から送信された顔画像に対して適合性の判定を行う段階と（Ｓ１０）、
前記判定の結果、適合性を満たした顔画像に対して、申込者による確認の情報が得られた後に、前記携帯型端末が、前記顔画像に対してトリミング加工を行って加工顔画像を作成する段階と（Ｓ１１）、
前記受付サーバが、前記個人情報と対応付けて前記加工顔画像を登録する段階と（Ｓ１４）、
を有することを特徴とする顔画像付き媒体の申込受付方法を提供する。
【０００７】
本発明第１の態様によれば、携帯型端末が、申込書に掲載されたコードを読み取って申込者の個人情報を取得し、申込者の本人確認を示す情報を取得し、申込者の顔を含む範囲を撮影して顔を含む画像である顔画像を取得し、受付サーバが、携帯型端末から送信された顔画像に対して適合性の判定を行い、判定の結果、適合性を満たした顔画像に対して、申込者による確認の情報が得られた後に、携帯型端末が、顔画像に対してトリミング加工を行って加工顔画像を作成し、受付サーバが、個人情報と対応付けて加工顔画像を登録するようにしたので、携帯端末側の処理により、顔画像に加えて、申込書に記録された個人情報を取得でき、本人確認も行うことができる。そのため、サーバ側に負担を掛けず、携帯電話等の携帯型端末で効率的に申込および受付処理を行うことが可能となる。
【０００８】
また、本発明第２の態様は、前記顔画像付き媒体の申込受付方法において、前記受付サーバは、前記携帯型端末から送信された加工顔画像の外枠に対してぼかし処理を行う（Ｓ１５）ことを特徴とする。
【０００９】
本発明第２の態様によれば、受付サーバが、携帯型端末から送信され、トリミング加工された加工顔画像の外枠をぼかし処理するようにしたので、申込者の申込作業終了後、申込者の手を煩わせることなく、媒体に付与するのに適した画像加工を行うことが可能となる。
【００１０】
また、本発明第３の態様は、前記顔画像付き媒体の申込受付方法において、
顔画像付き媒体に点字を使用するか否かの情報を取得する段階と（Ｓ５）、
前記顔画像を取得する段階の前段階として、顔を撮影することの同意を示す情報を取得する段階と（Ｓ７）、
を更に有することを特徴とする。
【００１１】
本発明第３の態様によれば、顔画像付き媒体に点字を使用するか否かの情報を取得し、顔画像を取得する段階の前段階として、顔を撮影することの同意を示す情報を取得するようにしたので、視覚障害者に対応することができるとともに、撮影に同意を得ることも可能となる。
【００１２】
また、本発明第４の態様では、顔を含む範囲を撮影する携帯型端末と、前記携帯型端末とデータ送受信可能に接続され、前記撮影により得られた画像の登録を行う受付サーバを有する顔画像付き媒体の申込および受付を行うシステムであって、
前記携帯型端末が、
申込書に掲載されたコードを読み取って申込者の個人情報を取得する手段と、
申込者の本人確認を示す情報を取得する手段と、
申込者の顔を含む範囲を撮影して顔を含む画像である顔画像を取得する手段と、
前記受付サーバによる適合性の判定の結果、適合性を満たした顔画像に対して、申込者による確認の情報が得られた後に、前記顔画像に対してトリミング加工を行って加工顔画像を作成する手段と、
を有し、
前記受付サーバが、
前記携帯型端末から送信された顔画像に対して適合性の判定を行う手段と、
前記受付サーバが、前記個人情報と対応付けて前記加工顔画像を登録する手段と、
を有することを特徴とする顔画像付き媒体の申込受付システムを提供する。
【００１３】
本発明第４の態様によれば、本発明第１の態様の顔画像付き媒体の申込受付方法をシステムにより実現することが可能となる。
【００１４】
また、本発明第５の態様は、前記顔画像付き媒体の申込受付システムにおいて、
前記受付サーバが、前記携帯型端末から送信された加工顔画像の外枠に対してぼかし処理を行う手段を有することを特徴とする。
【００１５】
本発明第５の態様によれば、本発明第２の態様の顔画像付き媒体の申込受付方法をシステムにより実現することが可能となる。
【００１６】
また、本発明第６の態様は、前記携帯型端末が、
顔画像付き媒体に点字を使用するか否かの情報を取得する手段と、
前記顔画像を取得する段階の前段階として、顔を撮影することの同意を示す情報を取得する手段と、
を更に有することを特徴とする。
【００１７】
本発明第６の態様によれば、本発明第３の態様の顔画像付き媒体の申込受付方法をシステムにより実現することが可能となる。
【００１８】
また、本発明第７の態様では、
顔画像付き媒体の申込を行うため、撮影により得られた画像の登録を行う受付サーバと、データ送受信可能に接続された携帯型端末であって、
申込書に掲載されたコードを読み取って申込者の個人情報を取得する手段と、
申込者の本人確認を示す情報を取得する手段と、
申込者の顔を含む範囲を撮影して顔を含む画像である顔画像を取得する手段と、
前記受付サーバによる適合性の判定の結果、適合性を満たした顔画像に対して、申込者による確認の情報が得られた後に、前記顔画像に対してトリミング加工を行って加工顔画像を作成する手段と、
を有することを特徴とする携帯型端末を提供する。
【００１９】
本発明第７の態様によれば、受付サーバと連携して、本発明第４の態様の顔画像付き媒体の申込受付システムを実現することが可能となる。
【００２０】
また、本発明第８の態様は、前記携帯型端末が、
顔画像付き媒体に点字を使用するか否かの情報を取得する手段と、
前記顔画像を取得する段階の前段階として、顔を撮影することの同意を示す情報を取得する手段と、
を更に有することを特徴とする。
【００２１】
本発明第８の態様によれば、受付サーバと連携して、本発明第６の態様の顔画像付き媒体の申込受付システムを実現することが可能となる。
【００２２】
また、本発明第９の態様は、前記携帯型端末として、コンピュータを機能させるためのプログラムを提供する。
【００２３】
本発明第９の態様によれば、プログラムを組み込むことにより、顔画像付き媒体の申込受付システムを実現するための携帯型端末を提供することが可能となる。
【発明の効果】
【００２４】
本発明によれば、サーバ側の負担を軽減し、携帯電話等の携帯型端末で効率的に顔画像付き媒体の申込受付処理を行うことが可能となるという効果を有する。
【図面の簡単な説明】
【００２５】
【図１】本発明の一実施形態に係る顔画像付き媒体の申込受付システムの利用環境を示す図である。
【図２】携帯型端末１０のハードウェア構成を示す図である。
【図３】受付サーバ２０のハードウェア構成を示す図である。
【図４】本発明の一実施形態に係る顔画像付き媒体の申込受付方法の概要を示すフローチャートである。
【図５】本実施形態で利用するカード申込書の一例を示す図である。
【図６】ステップＳ１、Ｓ２における携帯型端末の画面の様子を示す図である。
【図７】ステップＳ３、Ｓ４における携帯型端末の画面の様子を示す図である。
【図８】ステップＳ５、Ｓ６における携帯型端末の画面の様子を示す図である。
【図９】ステップＳ７における携帯型端末の画面の様子を示す図である。
【図１０】ステップＳ８における携帯型端末の画面の様子を示す図である。
【図１１】受付サーバ２０による顔画像の判定項目を示す図である。
【図１２】ステップＳ９における携帯型端末の画面の様子を示す図である。
【図１３】ステップＳ１１、Ｓ１２における携帯型端末の画面の様子を示す図である。
【図１４】受付サーバ２０により行われるぼかし処理の一例を示す図である。
【図１５】受付サーバ２０に登録される発行用データの一例を示す図である。
【図１６】製造された個人番号カードの一例を示す平面図である。
【発明を実施するための形態】
【００２６】
＜１．システム構成＞
以下、本発明の好適な実施形態について図面を参照して詳細に説明する。図１は、本発明の一実施形態に係る顔画像付き媒体申込受付システムの利用環境を示す図である。図１において、１０は携帯型端末、２０は受付サーバ、３０は管理サーバ、４０はネットワーク、５０はカード製造装置である。携帯型端末１０、受付サーバ２０、管理サーバ３０はインターネット等の公衆のネットワーク４０に接続されており、互いにデータの送受信が可能となっている。また、管理サーバ３０には、顔画像付き媒体の一例である個人情報カードを製造するためのカード製造装置５０が接続されている。顔画像付き媒体申込受付システムは、少なくとも携帯型端末１０、受付サーバ２０を有する構成として構成される。顔画像付き媒体申込受付システムにより得られた発行用データは、受付サーバ２０に登録され、その後、管理サーバ３０に渡されて、個人情報カードが製造される。
【００２７】
携帯型端末１０は、スマートフォン、タブレット端末等の情報処理機能、ネットワーク通信機能、表示機能を備えた携帯可能な端末装置であり、人間の顔を含む範囲を撮影して、人間の顔を含む画像データ（以下、「顔画像」という）を取得した後、顔画像に対して加工を行い、受付サーバ２０に送信する。受付サーバ２０は、携帯型端末１０から受信した顔画像の適合性判定を行い、所定の基準に適合しているかどうかを判定し、判定結果を携帯型端末１０に返信するとともに、携帯型端末１０で加工された顔画像を登録する。管理サーバ３０は、受付サーバ２０から受信した顔画像を用いてカード製造装置５０に対して個人情報カードの製造命令を出力する。カード製造装置５０は、管理サーバ３０からの個人情報カードの製造命令に従って、顔画像付き媒体である個人情報カードを製造する。カード製造装置５０は、インクジェットプリンタ、昇華転写プリンタ、熱転写プリンタ等の画像出力装置により実現され、供給されたカード状の媒体表面に顔画像と所定事項を印刷して個人情報カードを出力する。図１の例では、カード製造装置５０は、管理サーバ３０に直接接続された構成となっているが、管理サーバ３０とネットワーク４０を介して接続された構成であってもよい。
【００２８】
携帯型端末１０は、上述のように、スマートフォン、タブレット端末等により実現可能であるが、本実施形態では、多機能型携帯電話機であるスマートフォンに、「アプリ」と呼ばれる専用のプログラムを組み込むことにより実現する。スマートフォンは、多機能型携帯電話機であるが、タッチパネルで画面を操作して制御可能なコンピュータとしての機能も有している。
【００２９】
図２は、携帯型端末１０のハードウェア構成図である。図２に示すように、携帯型端末１０は、ＣＰＵ（Central Processing Unit）１０ａと、メインメモリであるＲＡＭ（Random Access Memory）１０ｂと、ＣＰＵ１０ａが実行するプログラムやデータを記憶するためのハードディスク、フラッシュメモリ等の大容量の記憶装置１０ｃと、キーボードやタッチパネル等の指示入力部１０ｄと、データ記憶媒体等の外部装置とデータ通信するためのデータ入出力Ｉ／Ｆ（インタフェース）１０ｅと、液晶ディスプレイや有機ＥＬディスプレイ等の表示デバイスである表示部１０ｆと、ＲＦ回路（高周波回路）を備え、無線により、携帯電話網およびネットワークを介して他のコンピュータと通信を行うための通信部１０ｇと、ＣＣＤやＣＭＯＳ等の撮像素子を有するカメラ１０ｈを備えており、互いにバスを介して接続されている。現実には、スマートフォンは、図２に示した以外にも、マイクロフォン、スピーカ等を有しているが、本実施形態とは無関係であるため省略している。
【００３０】
図３は、受付サーバ２０のハードウェア構成図である。受付サーバ２０は、汎用のコンピュータに、専用のプログラムを組み込むことにより実現される。図３に示すように、ＣＰＵ（Central Processing Unit）２０ａと、メインメモリであるＲＡＭ（Random Access Memory）２０ｂと、ＣＰＵ２０ａが実行するプログラムやデータを記憶するためのハードディスク、フラッシュメモリ等の大容量の記憶装置２０ｃと、キーボード等の指示入力部２０ｄと、データ記憶媒体等の外部装置とデータ通信するためのデータ入出力Ｉ／Ｆ（インタフェース）２０ｅと、液晶ディスプレイ等の表示デバイスである表示部２０ｆと、ネットワークを介して他のコンピュータとネットワーク通信を行うための通信部２０ｇを備え、互いにバスを介して接続されている。
【００３１】
管理サーバ３０のハードウェア構成は、受付サーバ２０と同様のハードウェア構成となっており、汎用のコンピュータに、専用のプログラムを組み込むことにより実現される。
【００３２】
＜２．処理動作＞
次に、本発明の一実施形態に係る顔画像付き媒体の申込受付方法について、図１に示した顔画像付き媒体の申込受付システムの処理動作とともに、図４のフローチャートを用いて説明する。本実施形態では、顔画像付き媒体の一例として、顔画像が表面に付された個人番号カードについて説明していく。個人番号カードとは、自治体により交付され、個人を番号により特定するカードである。個人番号カードには、特定される個人の顔画像が表面に表示されている。
【００３３】
まず、申込者は、郵送等によりカード申込書を受け取る。図５は、カード申込書の一例を示す図である。図５に示したカード申込書は、個人番号カード交付用の申込書である。図５に示したカード申込書には、申込書ＩＤ、個人番号等の識別情報の他、氏名、生年月日、住所、電話番号等の個人情報が印刷されている。また、顔写真の貼付部や、二次元コードの一例であるＱＲコード（登録商標）が印刷されている。本実施形態では、本人の顔画像を直接撮影して顔画像を取得するため、カード申込書の顔画像の貼付部は利用しない。個人情報が記録され、申込書に印刷されるコードとしては、二次元コードに限定されるものではなく、例えば、（一次元の）バーコード等、二次元コード以外のものを用いてもよい。二次元コードには、カード申込書に印刷された申込書ＩＤ、個人番号、氏名、生年月日、性別、住所、電話番号等の個人情報がコード化されて記録されている。申込書ＩＤは申込書を特定する識別情報であり、個人番号カードが発行されるまで発行用データを管理する役割を果たす。
【００３４】
また、申込者が所持する携帯型端末１０には、カード申込用の専用のアプリケーションプログラムが組み込まれている。専用のアプリケーションプログラムを携帯型端末１０に組み込むためには、例えば、携帯型端末１０としてスマートフォンを用いた場合、ネットワークを介して所定のサーバにアクセスし、カード申込用のいわゆる「アプリ」として、専用のアプリケーションプログラムをダウンロードする。
【００３５】
カード申込用のアプリケーションプログラムの組み込み後、申込者は、そのアプリケーションプログラムを起動する。すると、携帯型端末１０のＣＰＵ１０ａが表示部１０ｆに、トップ画面を表示させる（ステップＳ１）。図６（ａ）は、トップ画面が表示された状態の携帯型端末１０の様子を示す図である。図６（ａ）に示すように、トップ画面には、「個人番号カードを申し込む」、「申込みを再開」の２つのボタンが表示される。申込者は、この２つのボタンをタップして指示することが可能になっている。タップとは、タッチパネルを軽く１回叩くようにして画面に触れる操作を示す。
【００３６】
「申込みを再開」のボタンは、申込処理を一時中断している場合に再開するために用いる。「申込みを再開」のボタンが申込者によりタップされると、発行用データの一部として記憶装置１０ｃ内に保存されている情報を読み出して、対応する画面を表示し、申込処理を再開する。「個人番号カードを申し込む」が申込者によりタップされると、指示入力部１０ｄからボタンの位置を指定した指示が行われたことになり、ＣＰＵ１０ａが表示部１０ｆに、二次元コード読取説明画面を表示させる（ステップＳ２）。
【００３７】
図６（ｂ）に示すように、二次元コード読取説明画面には、画面上部に二次元コード読取説明が表示され、画面下部に「読取を開始」のボタンが表示される。また、画面最上部には、図６（ａ）に示したトップ画面に戻るための「戻る」のボタンが表示される。「読取を開始」のボタンが申込者によりタップされると、ＣＰＵ１０ａがカメラ１０ｈを起動する。すると、表示部１０ｆの画面がカメラ１０ｈのレンズを通した撮影画面に切り替わるとともに、その撮影画面に二次元コードの位置決めを行うための枠が表示される。
【００３８】
このときの、携帯型端末１０の様子を図７（ａ）に示す。画面最上部には、図６（ｂ）に示した二次元コード読取説明画面に戻るための「戻る」のボタンが表示される。この状態で、申込者が、カード申込書に印刷された二次元コードにカメラ１０ｈを向けて撮影操作を行うと、カメラ１０ｈが二次元コードを撮影して取得し、ＣＰＵ１０ａが二次元コードの記録内容を読み取る（ステップＳ３）。二次元コードの記録内容の読み取りは、ＣＰＵ１０ａが所定のプログラムを実行することにより行われる。このような二次元コードの記録内容の読み取りのためのプログラムは、スマートフォン等には、初めから組み込まれていることが多い。初めから組み込まれていない場合には、所定のサーバにアクセスしてダウンロードしておく。二次元コードから読み取られた記録内容は、ＣＰＵ１０ａがＲＡＭ１０ｂに一時的に記憶する。本実施形態では、個人情報である申込書ＩＤ、個人番号、氏名、生年月日、性別、住所、電話番号が取得され、記憶されることになる。
【００３９】
二次元コードの記録内容を読み取ったら、ＣＰＵ１０ａが表示部１０ｆに、本人確認画面を表示させる。このときの、携帯型端末１０の様子を図７（ｂ）に示す。図７（ｂ）に示すように、本人確認画面には、画面上部に確認のための文章が表示され、画面下部に「私は申込者本人です」のボタンと、「キャンセル」のボタンが表示される。また、画面最上部には、図７（ａ）に示した撮影画面に戻るための「戻る」のボタンと、これ以前の記憶内容を保存して中断するための「保存して中断」のボタンが表示される。「保存して中断」のボタンがタップされると、ＣＰＵ１０ａは、ステップＳ３以前の一時的な記憶内容である、二次元コードからの読み取り情報を記憶装置１０ｃ内に記憶（保存）し、カード申込処理を中断する。
【００４０】
図７（ｂ）に示した本人確認画面において、「キャンセル」のボタンが申込者によりタップされると、ステップＳ１に戻って、携帯型端末１０は、トップ画面を再び表示する。一方、「私は申込者本人です」のボタンが申込者によりタップされると、ＣＰＵ１０ａは、本人確認を示す旨の情報を取得する（ステップＳ４）。具体的には、本人確認を示す旨の情報を発行用データの一部としてＲＡＭ１０ｂに一時的に記憶する。本人確認を示す旨の情報（本人確認情報）が得られたら、ＣＰＵ１０ａが表示部１０ｆに、点字有無選択画面を表示させる。
【００４１】
点字有無選択画面が表示された状態の、携帯型端末１０の様子を図８（ａ）に示す。図８（ａ）に示すように、点字有無選択画面には、画面下部に「カードに点字を使用する」のボタンと、「カードに点字を使用しない」のボタンが表示される。また、画面最上部には、図７（ｂ）に示した本人確認画面に戻るための「戻る」のボタンと、これ以前の記憶内容を保存して中断するための「保存して中断」のボタンが表示される。「保存して中断」のボタンがタップされると、ＣＰＵ１０ａは、ステップＳ４以前の一時的な記憶内容である、二次元コードからの読み取り情報、本人確認をした旨の情報を記憶装置１０ｃ内に記憶（保存）し、カード申込処理を中断する。
【００４２】
図８（ａ）に示した点字有無選択画面において、「カードに点字を使用する」「カードに点字を使用しない」のいずれかのボタンが申込者によりタップされると、携帯型端末１０は、いずれかのボタンに対応する点字有無選択情報を取得する（ステップＳ５）。具体的には、「カードに点字を使用する」のボタンがタップされた場合には、点字有無選択情報として点字を使用する旨の情報を、発行用データの一部としてＲＡＭ１０ｂに一時的に記憶する。点字有無選択情報とは、点字を使用するか否かの情報である。一方、「カードに点字を使用しない」のボタンがタップされた場合には、点字有無選択情報として点字を使用しない旨の情報を、発行用データの一部としてＲＡＭ１０ｂに一時的に記憶する。点字有無選択情報が得られたら、ＣＰＵ１０ａが表示部１０ｆに、連絡先情報入力画面を表示させる。
【００４３】
連絡先情報入力画面が表示された状態の、携帯型端末１０の様子を図８（ｂ）に示す。図８（ｂ）に示すように、連絡先情報入力画面には、２つのメールアドレス入力欄と、「次へ」のボタンが表示される。また、画面最上部には、図８（ａ）に示した点字有無選択画面に戻るための「戻る」のボタンと、これ以前の内容を保存して中断するための「保存して中断」のボタンが表示される。「保存して中断」のボタンが申込者によりタップされると、ＣＰＵ１０ａは、ステップＳ５以前の記憶内容である、二次元コードからの読み取り情報、本人確認をした旨の情報、点字有無選択情報を記憶装置１０ｃ内に記憶（保存）し、カード申込処理を中断する。
【００４４】
連絡先情報入力画面を利用して、申込者が連絡先情報であるメールアドレスを入力した後、「次へ」のボタンが申込者によりタップされると、携帯型端末１０は、入力された連絡先情報を取得する（ステップＳ６）。具体的には、入力された連絡先情報を、発行用データの一部としてＲＡＭ１０ｂに一時的に記憶する。
【００４５】
連絡先情報が得られたら、ＣＰＵ１０ａが表示部１０ｆに、顔画像撮影説明・同意画面を表示させる。このときの、携帯型端末１０の様子を図９に示す。図９に示すように、顔画像撮影説明・同意画面には、画面上部に、同意条件が表示され、画面下部に「同意し、写真を撮影する」のボタンと「同意し、写真を選択する」のボタンが表示される。なお、図９においては、顔画像を「顔写真」、画像を「写真」と表記してある。また、画面最上部には、図８（ｂ）に示した連絡先情報入力画面に戻るための「戻る」のボタンと、これ以前の内容を保存して中断するための「保存して中断」のボタンが表示される。「保存して中断」のボタンが申込者によりタップされると、ＣＰＵ１０ａは、ステップＳ６以前の一時的な記憶内容である、二次元コードからの読み取り情報、本人確認をした旨の情報、点字使用の有無、連絡先情報を記憶装置１０ｃ内に記憶（保存）し、カード申込処理を中断する。
【００４６】
顔画像撮影説明・同意画面において、「同意し、写真を撮影する」のボタンが申込者によりタップされると、ＣＰＵ１０ａは、顔を撮影することの同意を示す情報を取得する（ステップＳ７）。具体的には、顔を撮影することの同意を示す情報（撮影同意情報）を発行用データの一部としてＲＡＭ１０ｂに一時的に記憶する。
【００４７】
顔を撮影することの同意を示す情報が得られたら、携帯型端末１０では、ＣＰＵ１０ａがカメラ１０ｈを起動する。すると、表示部１０ｆの画面がカメラ１０ｈのレンズを通した顔画像撮影画面に切り替わるとともに、その画面に顔の位置決めを行うためのマークが表示される。申込者は、このマークを申込者の顔の位置に合わせることになる。マークは、位置決めを行うのに役立つ形状であれば、どのようなものであってもよいが、本実施形態では、頭頂部、あごの位置を示す水平方向の線分となっている。
【００４８】
顔画像撮影画面が表示された状態の、携帯型端末１０の様子を図１０（ａ）に示す。画面下部には、カメラのマークが付された撮影実行ボタンが用意されている。また、画面最上部には、図９に示した顔画像撮影説明・同意画面に戻るための「戻る」のボタンが表示される。この状態で、申込者により撮影実行ボタンがタップされると、カメラ１０ｈが顔を含む範囲を撮影する（ステップＳ８）。撮影により取得された顔画像は、ＲＡＭ１０ｂに一時的に記憶される。
【００４９】
一方、図９に示した顔画像撮影説明・同意画面を利用して、「同意し、写真を選択する」のボタンが申込者によりタップされると、携帯型端末１０は、記憶装置１０ｃ内に記憶されている顔画像を抽出し、表示部１０ｆに顔画像選択画面を表示させる。このときの、携帯型端末１０の様子を図１０（ｂ）に示す。図１０（ｂ）の例では、顔画像が１つだけ表示されているが、記憶装置１０ｃ内に複数の顔画像が記憶されている場合には、複数の顔画像が表示されることになる。この状態で申込者によりタップされることにより顔画像が選択され、さらに「選択」ボタンがタップされると、選択された顔画像は、ＲＡＭ１０ｂに一時的に記憶される。顔画像が撮影または選択された場合には、携帯型端末１０は、撮影または選択された顔画像の適合性確認を行う（ステップＳ９）。具体的には、撮影または選択された顔画像を申込書ＩＤとともに受付サーバ２０に送信する。
【００５０】
受付サーバ２０は、携帯型端末１０から受信した顔画像の適合性判定を行う（ステップＳ１０）。具体的には、ＣＰＵ２０ａが適合性判定プログラムを実行し、顔画像が所定の規則に従っているか否かを確認する。適合性判定プログラムとしては、様々な判定手法を実行するものを用いることができる。一例としては、日本電気株式会社製の「ＱＴＦ（Quality Tool Face）」を用いることができる。適合性判定プログラムは、国際標準ＩＳＯ／ＩＥＣ１９７９４−５（顔画像データに関する国際的な規格）により指標化された項目のうち、所定の項目について適合性判定を行う。例えば、受付サーバ２０では、ＣＰＵ２０ａが上述の適合性判定プログラムを実行することにより図１１に示すような判定項目について適合性判定する。そして、判定結果がＯＫ（基準を満たしている）であったか、ＮＧ（基準を満たしていない）であったかを示す情報を申込書ＩＤと対応付けて記憶する。
【００５１】
携帯型端末１０から受信した顔画像について適合性判定が完了したら、受付サーバ２０は、判定結果に従って確認画面データを携帯型端末１０に送信する。具体的には、ＣＰＵ１０ａが通信部２０ｇを介して確認画面データを送信する。確認画面データは、判定結果がＯＫであったか、ＮＧであったかにより異なる体裁のものを送信する。携帯型端末１０では、通信部１０ｇが受付サーバ２０から確認画面データを受信すると、ＣＰＵ１０ａが表示部１０ｆに表示させる。このときの、携帯型端末１０の様子を図１２に示す。なお、図１２においては、顔画像を「顔写真」、画像を「写真」と表記してある。
【００５２】
判定結果がＯＫの場合は、図１２（ａ）に示すような顔画像確認画面が表示される。画面上部には、確認した顔画像が表示され、画面下部には、「ＯＫ」のボタンと「再撮影、選択」のボタンが表示されている。「再撮影、選択」のボタンが申込者によりタップされると、ステップＳ７に戻って、携帯型端末１０は、再び撮影または選択を促す。
【００５３】
判定結果がＮＧの場合は、図１２（ｂ）に示すような再撮影依頼画面が表示される。画面上部には、確認した顔画像が表示され、画面下部には、「再撮影、選択」のボタンのみが表示されている。「再撮影、選択」のボタンが申込者によりタップされると、ステップＳ７に戻って、携帯型端末１０は、再び撮影・選択を促す。
【００５４】
判定結果がＯＫの場合に、「ＯＫ」のボタンが申込者によりタップされると、携帯型端末１０は、顔画像を含む加工用画面を表示する。申込者は、加工用画面を利用して、指で画面をなぞることにより、背景トリミングのための境界線を指定する。すると、指示入力部１０ｄがタッチパネル上の位置を検出し、ＣＰＵ１０ａは、指定された位置に対応する箇所に境界線を表示する。境界線は、申込者が指でなぞった位置に従って所定の色で表示される。このときの携帯型端末１０の状態を図１３（ａ）に示す。図１３（ａ）に示すように、加工用画面の中央部には、顔画像に重ねて指定された境界線が表示される。画面最下部には、「ＯＫ」のボタンのみが表示されている。また、画面最上部には、図１２（ａ）に示した確認画面に戻るための「戻る」のボタンが表示される。
【００５５】
加工用画面において、「ＯＫ」のボタンが申込者によりタップされると、携帯型端末１０は、背景のトリミング加工を行う（ステップＳ１１）。背景のトリミング加工の具体的な手法としては、例えば、特開２０００−１４９０２６号公報に開示の手法等、公知の様々な手法を用いることができる。本実施形態では、指定された境界線付近の画素値の差を検出し、差の大きいところを輪郭線としてその外側を除去する。これにより元の背景が除去された加工顔画像を作成する。加工顔画像は、元の背景を除去しただけであってもよいが、本実施形態では、無地の背景を付して加工顔画像としている。無地の背景とは、背景に相当する部分を同一の画素値で構成したものである。
【００５６】
加工処理後、携帯型端末１０は、無地の背景を付した加工顔画像を含む加工確認画面を表示部１０ｆに表示させる（ステップＳ１２）。加工確認画面が表示された状態の、携帯型端末１０の様子を図１３（ｂ）に示す。図１３（ｂ）に示すように、加工確認画面には、無地背景を付した加工顔画像が表示され、「ＯＫ」のボタンと「やり直す」のボタンが表示される。
【００５７】
加工確認画面において、「やり直す」のボタンが申込者によりタップされると、ステップＳ１１に戻って、携帯型端末１０は、再度トリミング加工を行う。加工確認画面において、「ＯＫ」のボタンが申込者によりタップされると、携帯型端末１０は、これまで一時保存しておいたデータと加工顔画像を対応付けて発行用データの形式に整理する。そして、この発行用データを、ＣＰＵ１０ａが、通信部１０ｇを介して、受付サーバ２０に送信する（ステップＳ１３）。受付サーバ２０では、通信部２０ｇが発行用データを受信し、ＣＰＵ２０ａが、受信した発行用データを記憶装置２０ｃ内に登録する（ステップＳ１４）。すなわち、個人情報と対応付けて加工顔画像を登録する。加工顔画像が受付サーバ２０に登録されることにより、個人番号カードの申込処理は完了する。同時に受付サーバ２０における個人番号カードの受付処理も完了する。
【００５８】
加工顔画像の登録完了時、または登録完了後の所定の時期に、受付サーバ２０は、登録された加工顔画像に対してぼかし処理を行う（ステップＳ１５）。ぼかし処理（「シェーディング処理」ともいう）は、画像内の顔部分を強調するために行うものである。本実施形態では、付加された背景の外枠に対して行う。図１４に受付サーバ２０により行われるぼかし処理の一例を示す。登録された顔画像は、カードの表面に付されて個人を証明するものであるので、顔部分に対しては、ぼかし処理を行わないようにする。本実施形態では、図１４（ｂ）に示すように、円形状の新たな枠を設定し、そこから外側を枠内とは別の画素値に置き換え、枠付近を枠内部の元の画素の色と、枠外部の色とが混在するように設定する。ぼかし処理としては、図１４に示した例に限定されず、公知の様々な手法を用いることができる。
【００５９】
図４のフローチャートに従った処理を実行することにより、受付サーバ２０には発行用データが登録されることになる。図１５に発行用データの一例を示す。図１５に示すように、発行用データは、カード申込書に印刷された二次元コードから読み取られた申込書ＩＤ、個人番号、氏名、生年月日、性別、住所、電話番号の項目を含んでいる。また、ステップＳ４において行われた本人確認情報、ステップＳ５において選択された点字有無選択情報、ステップＳ６において入力された連絡先情報としてのメールアドレス、ステップＳ７において行われた撮影同意情報の項目を含んでいる。また、登録され、ぼかし処理が行われた加工顔画像が申込書ＩＤと対応付けて記録されている。
【００６０】
受付サーバ２０は、記憶装置２０ｃ内に登録された発行用データを、適切な時期に管理サーバ３０に送信する。発行用データが登録されるごとに順次送信してもよいし、所定の時期が来た場合に一括して送信してもよい。管理サーバ３０では、受付サーバ２０から受信した発行用データを記憶装置内に登録する。
【００６１】
そして、管理サーバ３０は、カード製造命令とともに、発行用データをカード製造装置５０に送信する。カード製造命令と発行用データを受信したカード製造装置５０は、別途供給されたカード基材上に顔画像と所定の情報を印刷して、個人番号カードを出力する。図１６は、製造された個人番号カードの一例を示す平面図である。図１６に示すように、個人番号カードの表面には、顔画像の他、個人番号、氏名が印刷されている。個人番号カードの材質としては、ポリ塩化ビニルやポリエチレンテレフタレート等の樹脂を用いることができる。
【００６２】
以上、本発明の好適な実施形態について説明したが、本発明は上記実施形態に限定されず、種々の変形が可能である。例えば、上記実施形態では、申込書ＩＤをキーとして発行用データを管理し、顔画像との対応付けを行ったが、個人番号を用いて発行用データを管理し、顔画像との対応付けを行うようにしてもよい。
【００６３】
また、上記実施形態では、顔画像付き媒体として、個人番号カードを例にとって説明したが。顔画像が付いた媒体であれば、カード状の媒体に限定されず、シート状や厚みのある立体的な物体等、様々な形態の媒体に適用することができる。
【符号の説明】
【００６４】
１０・・・携帯型端末
１０ａ、２０ａ・・・ＣＰＵ
１０ｂ、２０ｂ・・・ＲＡＭ
１０ｃ、２０ｃ・・・記憶装置
１０ｄ、２０ｄ・・・指示入力部
１０ｅ、２０ｅ・・・データ入出力Ｉ／Ｆ
１０ｆ、２０ｆ・・・表示部
１０ｇ、２０ｇ・・・通信部
１０ｈ・・・カメラ
２０・・・受付サーバ
３０・・・管理サーバ
４０・・・ネットワーク
５０・・・カード製造装置
【図１】
0006507555.tif 000002
【図２】
0006507555.tif 000003
【図３】
0006507555.tif 000004
【図４】
0006507555.tif 000005
【図５】
0006507555.tif 000006
【図６】
0006507555.tif 000007
【図７】
0006507555.tif 000008
【図８】
0006507555.tif 000009
【図９】
0006507555.tif 000010
【図１０】
0006507555.tif 000011
【図１１】
0006507555.tif 000012
【図１２】
0006507555.tif 000013
【図１３】
0006507555.tif 000014
【図１４】
0006507555.tif 000015
【図１５】
0006507555.tif 000016
【図１６】
0006507555.tif 000017